(57)【要約】  基板（２０）と、基板（２０）上に位置し、レーザ光を出射する複数の発光部が並んで配置されたレーザアレイ部（１０）とを備え、複数の発光部の各々から出射されるレーザ光の波長を複数の発光部の位置に対応させてプロットした際において、プロットした各波長に対応する複数の点のうち極値となる点は、レーザアレイ部（１０）の中心に対応する位置には存在せず、かつ、レーザアレイ部（１０）の中心から離れたところに対応する位置に存在する。
2019021802.tif 000002
【特許請求の範囲】
【請求項１】
基板と、
前記基板上に位置し、レーザ光を出射する複数の発光部が並んで配置されたレーザアレイ部とを備え、
前記複数の発光部の各々から出射されるレーザ光の波長を前記複数の発光部の位置に対応させてプロットした際において、プロットした各波長に対応する複数の点のうち極値となる点は、前記レーザアレイ部の中心に対応する位置には存在せず、かつ、前記レーザアレイ部の中心から離れたところに対応する位置に存在する、
半導体レーザ素子。
【請求項２】
前記複数の発光部における隣り合う２つの発光部の間隔には、異なる長さが含まれる、
請求項１記載の半導体レーザ素子。
【請求項３】
前記複数の発光部の各々の幅には、異なる長さが含まれる、
請求項１記載の半導体レーザ素子。
【請求項４】
前記基板には、前記複数の発光部に対応して、異なる複数のオフ角が存在する
請求項１記載の半導体レーザ素子。
【請求項５】
前記レーザアレイ部は、各々が前記複数の発光部の各々に対応する複数のリッジ部を有するリッジ導波路型構造を有し、
前記複数のリッジ部の傾斜角には、異なる角度が含まれる、
請求項１記載の半導体レーザ素子。
【請求項６】
基板と、
前記基板上に、レーザ光を出射する複数の発光部が並んで配置されたレーザアレイ部と、
前記レーザアレイ部を冷却する水冷ヒートシンクとを備え、
前記複数の発光部の各々から出射されるレーザ光の波長を前記複数の発光部の位置に対応させてプロットした際において、プロットした各波長に対応する複数の点のうち極値となる点は、前記レーザアレイ部の中心に対応する位置には存在せず、かつ、前記レーザアレイ部の中心から離れたところに対応する位置に存在する、
半導体レーザ装置。
【請求項７】
前記水冷ヒートシンクの冷却水の温度は、前記複数の発光部の位置で異なっている、
請求項６記載の半導体レーザ装置。
【請求項８】
前記水冷ヒートシンクの冷却水は、前記発光部が並んでいる方向に沿って流れている、
請求項６記載の半導体レーザ装置。
【発明の詳細な説明】
【技術分野】
【０００１】
本開示は、半導体レーザ素子及び半導体レーザ装置に関する。【０００２】
なお、本願は、平成２８年度、国立研究開発法人新エネルギー・産業技術総合開発機構  「高輝度・高効率次世代レーザー技術開発／次々世代加工に向けた新規光源・要素技術開発／高効率加工用ＧａＮ系高出力・高ビーム品質半導体レーザーの開発」委託研究、産業技術力強化法第１９条の適用を受ける特許出願である。
【背景技術】
【０００３】
半導体レーザ素子は、長寿命、高効率及び小型等のメリットがあるため、プロジェクタ又はディスプレイ等の画像表示装置をはじめとして様々な用途の光源として利用されている。例えば、近年では、大ホールにおけるシアターやプロジェクションマッピング等のように、大画面に映像を投影するプロジェクタに半導体レーザ素子が用いられることが多くなっている。【０００４】
プロジェクタに用いられる半導体レーザ素子は、光出力が１ワットを大きく超える高出力化が望まれており、例えば数十ワットクラス以上の高出力が要望されている。しかしながら、１つのレーザ光では高出力を得ることは困難である。このため、高出力化のために、複数の半導体レーザ素子を並べた半導体レーザアレイ装置又は複数のエミッタ（発光部）を有する半導体レーザ素子が用いられる。【０００５】
一般に、レーザ光は可干渉性が高いため、ある面で二つの同一波長のレーザ光が重なると、その位相差の関係により明暗が出たり、その位相差の揺らぎによりぎらつき（明暗の時間的変動）が発生したりする。このような明暗及びぎらつきが発生すると、とりわけ画像表示用途の光源として半導体レーザ素子を用いた場合には、画像品質を劣化させることになる。【０００６】
特に、複数のエミッタを有する半導体レーザ素子では、各エミッタから出射するレーザ光が近接しているため、レーザ光が干渉しやすい。このため、このような半導体レーザ素子をプロジェクタの光源に用いた場合、スクリーンに投影された画像に、明るさのムラや濃淡（干渉縞）を生じさせ、いわゆるスペックル雑音と呼ばれるノイズが発生する。【０００７】
このようなスペックル雑音は、同じ波長のレーザ光が干渉することが原因で生じる。そこで、複数のレーザ光の波長を異ならせてスペックル雑音を低減させるために、特許文献１には、以下の２つの方法が提案されている。【０００８】
第１の方法として、特許文献１の図５には、レーザアレイ部の複数のエミッタのうち中央部付近のエミッタの間隔を狭めることが開示されている。これにより、レーザアレイ部の中央部付近の熱密度が上がるので、レーザアレイ部の中央部付近の温度を高くできるとともに、レーザアレイ部の端部の温度を低くすることができる。レーザ光の発振波長は、温度が高いほど長波長になるので、この方法を採用することにより、レーザアレイ部の各発エミッタから出射するレーザ光の発振波長は、温度分布にしたがって端部から中央になるにつれて長波長になる。この結果、複数のエミッタから出射するレーザ光が重なっても、互いの波長が異なるため、スペックル雑音を抑制することができる。【０００９】
また、第２の方法として、特許文献１の図１１には、レーザアレイ部の一方の端部（例えば左端部）におけるエミッタの間隔を狭め、他方の端部（例えば右端部）のエミッタの間隔を広げることが開示されている。これにより、一方の端部（左端部）の端の熱密度が他方の端部（右端部）の熱密度よりも上がるので、レーザアレイ部の一方の端部（左端部）の温度を高くできるとともに、他方の端部（右端部）の温度を低くすることができる。この結果、第１の方法と同様に、スペックル雑音を抑制することができる。
【先行技術文献】
【特許文献】
【００１０】
【特許文献１】特開２００８−２０５３４２号公報
【発明の概要】
【発明が解決しようとする課題】
【００１１】
しかしながら、上記第１の方法では、レーザアレイ部の中央のエミッタから出射するレーザ光が最大波長となり、特許文献１の図７に示されるように、レーザアレイ部の中心軸に対してほぼ左右対称に波長が変化することになる。この場合、レーザアレイ部の中央に対してエミッタが左右対称に存在していると、レーザアレイ部の中央部付近には同じ波長のレーザ光が２つ存在することとなり、依然として中央部付近において２つのレーザ光が干渉するおそれがある。このため、このようなレーザアレイ部を有する半導体レーザ素子をプロジェクタの光源として用いた場合、観察者（例えば映画等の画像を見ている人等）が最も注視するスクリーン面の中央付近で２つのレーザ光の干渉が起こってしまうため、スクリーン面の中央付近においてスペックル雑音が目立ちやすい。つまり、観察者がスペックル雑音を感じやすい。【００１２】
一方、第２の方法では、レーザアレイ部から出射する複数のレーザ光のうち最大波長のレーザ光はスクリーン面の端部に対応するものとなるため、スペックル雑音は目立たちにくい。しかしながら、第２の方法は、温度分布（波長分布）が単調増加又は単調減少となっているので、第１の方法に比べて、レーザアレイ部から出射する複数のレーザ光のうち最大波長のレーザ光と最小波長のレーザ光との波長差が大きくなる（およそ第１の方法の２倍にもなる）。このため、例えばレーザアレイ部が赤色のレーザ光を出射するといっても、色度（波長）が異なる赤色のレーザ光を多く含むことになり、色純度が低下する。このため、映像の美しさが損なわれてしまう。【００１３】
本開示は、このような課題を解決するためになされたものであり、スペックル雑音（言い換えれば、輝度の空間的・時間的変動）を目立たせることなく、かつ、色純度（言い換えれば、波長純度）を低下することなく、レーザ光を出射することができる半導体レーザ素子及び半導体レーザ装置を提供することを目的とする。
【課題を解決するための手段】
【００１４】
上記目的を達成するために、本開示に係る半導体レーザ素子の一態様は、基板と、前記基板上に位置し、レーザ光を出射する複数の発光部が並んで配置されたレーザアレイ部とを備え、前記複数の発光部の各々から出射されるレーザ光の波長を前記複数の発光部の位置に対応させてプロットした際において、プロットした各波長に対応する複数の点のうち極値となる点は、前記レーザアレイ部の中心に対応する位置には存在せず、かつ、前記レーザアレイ部の中心から離れたところに対応する位置に存在する。【００１５】
ここで、プロットした複数のレーザ光の波長の点が極値を有する、とは、連続して並ぶ３つのエミッタから出射する３つのレーザ光の波長を順にλ１、λ２、λ３とした場合に、λ１、λ３≦λ２、又は、λ１、λ３≧λ２となっている状態のことである。つまり、λ１を示す点とλ２を示す点とを結ぶ線を第１の線とし、λ２を示す点とλ３を示す点とを結ぶ線を第２の線とすると、第１の線の傾きが正で且つ第２の線の傾きが負である場合、又は、第１の線の傾きが負で且つ第２の線の傾きが正である場合である。なお、λ２を挟むλ１とλ３とは、人間が感知しうるスペックル雑音を生じさせるほぼ同一の値になりやすい（つまり、レーザ光が干渉しやすい）。【００１６】
そして、本開示に係る半導体レーザ素子の一態様では、プロットした各波長に対応する複数の点のうち極値となる点が、レーザアレイ部の中心に対応する位置には存在せず、かつ、レーザアレイ部の中心から離れたところに対応する位置に存在している。【００１７】
このように、レーザアレイ部の中心に、レーザ光の波長の極値を無くすことにより、人間が最も注視する視野中央部でのレーザ光の干渉が無くなる。これにより、人間にとってスペックル雑音が感じにくくなる。【００１８】
さらに、レーザ光の波長の極値が、レーザアレイ部の中心から離れたところに存在しているため、複数の発光部から出射する複数のレーザ光の波長の最大値と最小値の差を小さくすることができる。これにより、レーザアレイ部から出射するレーザ光の色純度が低下することを抑制できる。【００１９】
したがって、スペックル雑音を目立たせることなく、かつ、色純度を低下することなく、レーザ光を出射させることができる半導体レーザ素子を実現できる。【００２０】
また、本開示に係る半導体レーザ素子の一態様において、前記複数の発光部における隣り合う２つの発光部の間隔には、異なる長さが含まれているとよい。【００２１】
このように、複数の発光部における隣り合う２つの発光部の間隔をレーザアレイ部の位置によって異ならせることで、発光部の間隔が密となる場所では熱が溜まりやすく、発光部の間隔が疎となる場所では放熱が助長されるので、温度分布を変調させることができる。この温度分布の変調により、レーザ光の発振波長の分布が変調する。したがって、レーザ光の波長の変化の極値となる点が、レーザアレイ部の中心に対応する位置には存在せず、かつ、レーザアレイ部の中心から離れたところに対応する位置に存在するようになる。【００２２】
また、本開示に係る半導体レーザ素子の一態様において、前記複数の発光部の各々の幅には、異なる長さが含まれていてもよい。【００２３】
発光部の幅の長さによって導波路の実効屈折率（Ｎｅｆｆ）が変化する。具体的には、発光部の幅が大きくなると実効屈折率が大きくなり、発光部の幅が小さくなると実効屈折率が小さくなる。これにより、複数の発光部の各々の幅をレーザアレイ部の位置によって異ならせて発光部の幅を変調させることで、レーザ光の発振波長の分布を変調させることができる。したがって、レーザ光の波長の変化の極値となる点が、レーザアレイ部の中心に対応する位置には存在せず、かつ、レーザアレイ部の中心から離れたところに対応する位置に存在するようになる。【００２４】
また、本開示に係る半導体レーザ素子の一態様において、前記基板には、前記複数の発光部に対応して、異なる複数のオフ角が存在していてもよい。【００２５】
このように、複数の発光部ごとに、異なる複数のオフ角を基板に存在させることで、活性層のバンドギャップを発光部ごとに変えることができる。これにより、レーザ光の発振波長が発光部ごとに変調する。したがって、レーザ光の波長の変化の極値となる点が、レーザアレイ部の中心に対応する位置には存在せず、かつ、レーザアレイ部の中心から離れたところに対応する位置に存在するようになる。【００２６】
また、本開示に係る半導体レーザ素子の一態様において、前記レーザアレイ部は、各々が前記複数の発光部の各々に対応する複数のリッジ部を有するリッジ導波路型構造を有し、前記複数のリッジ部の傾斜角には、異なる角度が含まれていてもよい。【００２７】
リッジ部の傾斜角によって導波路の実効屈折率（Ｎｅｆｆ）が変化する。具体的には、同一のリッジ幅に対して、リッジ部の傾斜角が大きくなると、発光部の実効的な幅が広がって実効屈折率が大きくなり、リッジ部の傾斜角が小さくなると、発光部の実効的な幅が狭くなって実効屈折率が小さくなる。これにより、複数のリッジ部の各々の傾斜角をリッジ部ごとに異ならせて発光部の実質的な幅を変調させることで、レーザ光の発振波長の分布を変調させることができる。したがって、レーザ光の波長の変化の極値となる点が、レーザアレイ部の中心に対応する位置には存在せず、かつ、レーザアレイ部の中心から離れたところに対応する位置に存在するようになる。【００２８】
また、本開示に係る半導体レーザ装置の一態様は、基板と、前記基板上に、レーザ光を出射する複数の発光部が並んで配置されたレーザアレイ部と、前記レーザアレイ部を冷却する水冷ヒートシンクとを備え、前記複数の発光部の各々から出射されるレーザ光の波長を前記複数の発光部の位置に対応させてプロットした際において、プロットした各波長に対応する複数の点のうち極値となる点は、前記レーザアレイ部の中心に対応する位置には存在せず、かつ、前記レーザアレイ部の中心から離れたところに対応する位置に存在する。【００２９】
水冷ヒートシンクを流れる冷却水は、冷却水の入口側では水温が低いため冷却能力が高いが、冷却水の出口側では発光部で発生する熱の吸熱で温度が上がるため冷却能力が低くなる。したがって、レーザアレイ部において最も熱がたまる場所が、中央部から冷却水の出口側にシフトし、レーザアレイ部の温度分布を変調させることができる。この温度分布の変調により、レーザ光の発振波長の分布が変調する。したがって、レーザ光の波長の変化の極値となる点が、レーザアレイ部の中心に対応する位置には存在せず、かつ、レーザアレイ部の中心から離れたところに対応する位置に存在するようになる。【００３０】
また、本開示に係る半導体レーザ装置の一態様において、前記水冷ヒートシンクの冷却水の温度は、前記複数の発光部の位置で異なっているとよい。【００３１】
これにより、レーザ光の発振波長の分布を、発光部ごとに容易に変調させることができる。【００３２】
また、本開示に係る半導体レーザ装置の一態様において、前記水冷ヒートシンクの冷却水は、前記発光部が並んでいる方向に沿って流れているとよい。【００３３】
これにより、レーザ光の発振波長の分布を、発光部ごとに容易に変調させることができる。
【発明の効果】
【００３４】
スペックル雑音を目立たせることなく、かつ、色純度を低下することなく、複数のレーザ光を出射することができる半導体レーザ素子及び半導体レーザ装置を実現できる。
【図面の簡単な説明】
【００３５】
【図１】図１は、実施の形態１に係る半導体レーザ素子の斜視図である。
【図２】図２の（ａ）は、実施の形態１に係る半導体レーザ素子におけるレーザ光出射端面の構造を示す図であり、図２の（ｂ）は、実施の形態１に係る半導体レーザ素子における活性層の温度分布を示す図、図２の（ｃ）は、実施の形態１に係る半導体レーザ素子における活性層のバンドギャップを示す図であり、図２の（ｄ）は、実施の形態１に係る半導体レーザ素子の複数のエミッタから出射するレーザ光の発振波長を示す図である。
【図３】図３は、実施の形態１に係る半導体レーザ素子のリッジ部周辺の拡大断面図である。
【図４】図４の（ａ）は、実施の形態２に係る半導体レーザ素子におけるレーザ光出射端面の構造を示す図であり、図４の（ｂ）は、実施の形態２に係る半導体レーザ素子における複数のエミッタの幅を示す図であり、図４の（ｃ）は、実施の形態２に係る半導体レーザ素子における複数のエミッタに対応する導波路の実効屈折率を示す図であり、図４の（ｄ）は、実施の形態２に係る半導体レーザ素子における複数のエミッタから出射するレーザ光の発振波長を示す図である。
【図５】図５の（ａ）は、実施の形態３に係る半導体レーザ素子におけるレーザ光出射端面の構造を示す図であり、図５の（ｂ）は、実施の形態３に係る半導体レーザ素子における基板のオフ角の分布を示す図であり、図５の（ｃ）は、実施の形態３に係る半導体レーザ素子における活性層のバンドギャップを示す図であり、図５の（ｄ）は、実施の形態３に係る半導体レーザ素子における複数のエミッタから出射するレーザ光の発振波長を示す図である。
【図６】図６の（ａ）は、実施の形態４に係る半導体レーザ素子におけるレーザ光出射端面の構造を示す図であり、図６の（ｂ）は、実施の形態４に係る半導体レーザ素子におけるリッジ部の傾斜角の分布を示す図であり、図６の（ｃ）は、実施の形態４に係る半導体レーザ素子における複数のエミッタに対応する導波路の実効屈折率を示す図であり、図６の（ｄ）は、実施の形態４に係る半導体レーザ素子における複数のエミッタから出射するレーザ光の発振波長を示す図である。
【図７】図７は、実施の形態５に係る半導体レーザ装置の斜視図である。
【図８】図８の（ａ）は、実施の形態５に係る半導体レーザ装置におけるレーザ光出射端面の構造を示す図であり、図８の（ｂ）は、実施の形態５に係る半導体レーザ装置における冷却水の温度分布を示す図であり、図８の（ｃ）は、実施の形態５に係る半導体レーザ装置における活性層の温度分布を示す図であり、図８の（ｄ）は、実施の形態５に係る半導体レーザ装置における５つのエミッタから出射するレーザ光の発振波長を示す図である。
【図９】図９は、実施の形態５に係る半導体レーザ装置において、冷却水が流れる方向を説明するための図である。
【図１０】図１０は、実施の形態６に係るプロジェクタの模式図である。
【図１１】図１１は、変形例１に係る半導体レーザ素子の斜視図である。
【図１２】図１２は、変形例１に係る半導体レーザ素子のリッジ部周辺の拡大断面図である。
【図１３】図１３は、変形例２に係る半導体レーザ素子の斜視図である。
【図１４】図１４は、変形例２に係る半導体レーザ素子のリッジ部周辺の拡大断面図である。
【発明を実施するための形態】
【００３６】
以下、本開示の実施の形態について、図面を参照しながら説明する。なお、以下に説明する実施の形態は、いずれも本開示の好ましい一具体例を示すものである。したがって、以下の実施の形態で示される、数値、形状、材料、構成要素、構成要素の配置位置及び接続形態、並びに、ステップ（工程）及びステップの順序などは、一例であって本開示を限定する主旨ではない。よって、以下の実施の形態における構成要素のうち、本開示の最上位概念を示す独立請求項に記載されていない構成要素については、任意の構成要素として説明される。
【００３７】
また、各図は、模式図であり、必ずしも厳密に図示されたものではない。したがって、各図において縮尺などは必ずしも一致していない。各図において、実質的に同一の構成に対しては同一の符号を付しており、重複する説明は省略又は簡略化する。
【００３８】
（実施の形態１）
まず、実施の形態１に係る半導体レーザ素子１の構成について、図１を用いて説明する。図１は、実施の形態１に係る半導体レーザ素子１の斜視図である。
【００３９】
図１に示すように、本実施の形態に係る半導体レーザ素子１は、半導体発光素子の一例であって、基板２０と、基板２０の上に位置するレーザアレイ部１０とを備える。レーザアレイ部１０には、レーザ光を出射する複数のエミッタ３０（発光部）が並んで配置されている。つまり、半導体レーザ素子１は、複数のエミッタ３０を含むマルチエミッタレーザである。各エミッタ３０は、レーザアレイ部１０に電流が注入されることで発光する発光領域である。
【００４０】
レーザアレイ部１０は、第１クラッド層１１と、第１ガイド層１２と、活性層１３と、第２ガイド層１４と、第２クラッド層１５と、コンタクト層１６とがこの順に積層された積層体である。なお、レーザアレイ部１０の層構造は、薄膜が原子レベルで積層された超格子構造であってもよい。また、レーザアレイ部１０の層構造は、上記積層体に限定されず、上記の層に加えて、活性層１３からの電子漏れを防ぐ層（例えば、電子オーバーフロー抑制層）又は歪緩和層等が形成されていてもよい。
【００４１】
レーザアレイ部１０は、半導体レーザ素子１の共振器長方向に対向する一対の第１端面１０ａ及び第２端面１０ｂを有する。本実施の形態において、第１端面１０ａは、レーザ光が出射する前端面であり、第２端面１０ｂは、後端面である。なお、第１端面１０ａ及び第２端面１０ｂには、端面コート膜として、誘電体多層膜で構成された反射膜が形成されていてもよい。この場合、光出射端面である第１端面１０ａには、低屈折率の反射膜を形成し、第２端面１０ｂには、高屈折率の反射膜を形成するとよい。
【００４２】
レーザアレイ部１０は、リッジ部４０を有するリッジ導波路型構造である。具体的には、レーザアレイ部１０は、複数のリッジ部４０を有する。本実施の形態では、レーザアレイ部１０には、５つのリッジ部４０が形成されている。第２クラッド層１５及びコンタクト層１６は、５つのリッジ部４０により複数に分離されている。各リッジ部４０は、レーザ共振器長方向（レーザビームの発振方向）に直線状に延在している。
【００４３】
なお、本実施の形態では、第２ガイド層１４と第２クラッド層１５との境界からリッジ部４０が形成されているが、第２ガイド層１４又は第２クラッド層１５の層の途中からリッジ部４０が形成されていてもよい。
【００４４】
複数のリッジ部４０の各々は、複数のエミッタ３０の各々に対応している。つまり、エミッタ３０とリッジ部４０とは、一対一に対応している。本実施の形態では、レーザアレイ部１０には５つのリッジ部４０が設けられているので、レーザアレイ部１０には５つのエミッタ３０が存在する。
【００４５】
５つのエミッタ３０は、レーザ共振器長方向と直交する方向（つまりリッジ部４０の幅方向）に沿って直線状に並んでいる。つまり、レーザアレイ部１０には、５つのエミッタ３０が横方向に並んでいる。
【００４６】
さらに、半導体レーザ素子１には、レーザアレイ部１０に電流を注入するために、第１電極５１及び第２電極５２が設けられている。第１電極５１は、基板２０の裏面には設けられたオーミック電極である。また、第２電極５２は、各リッジ部４０のコンタクト層１６に接するように形成されたオーミック電極である。なお、基板２０が絶縁基板である場合、第１電極５１は、露出させた第１クラッド層１１の上面に形成されていてもよい。
【００４７】
また、リッジ部４０の側面とリッジ部４０の根元から横方向に広がる平坦部とを被覆するように絶縁層６０が形成されている。絶縁層６０を形成することによって、注入された電流が、隣り合う２つのリッジ部４０の間の領域に流れることを抑制できる。
【００４８】
このように構成された半導体レーザ素子１では、第１電極５１と第２電極５２とに電圧を印加すると、第１電極５１と第２電極５２との間に電流が流れる。つまり、レーザアレイ部１０に電流が注入される。レーザアレイ部１０に注入された電流は、リッジ部４０の下部のみに流れる。これにより、リッジ部４０直下の活性層１３に電流が注入されて、活性層１３で電子及び正孔が再結合して発光し、エミッタ３０が生成される。
【００４９】
エミッタ３０で発生した光は、基板垂直方向（縦方向）においては、第１クラッド層１１、第１ガイド層１２、活性層１３、第２ガイド層１４、第２クラッド層１５、及び、コンタクト層１６の各層間の屈折率差によって閉じ込められる。一方、エミッタ３０で発生した光は、基板水平方向（横方向）においては、リッジ部４０内（第２クラッド層１５、コンタクト層１６）とリッジ部４０外（絶縁層６０）との屈折率差によって閉じ込められる。このように、本実施の形態における半導体レーザ素子１は、屈折率導波型の半導体レーザである。
【００５０】
そして、エミッタ３０で発生した光は、第１端面１０ａと第２端面１０ｂとの間を往復して共振し、また、注入電流によって利得を得ることで、位相がそろった高強度のレーザ光１０Ｌとなってエミッタ３０の第１端面１０ａから出射する。本実施の形態では、５つのリッジ部４０が形成されているので、５つのエミッタ３０の各々からレーザ光１０Ｌが出射する。つまり、レーザアレイ部１０からは５本のレーザ光１０Ｌが出射する。なお、第１端面１０ａにおけるレーザ光１０Ｌが出射する点は、エミッタ３０の発光点である。
【００５１】
レーザ光の発振波長（発光色）は、レーザアレイ部１０の各層の材料を変えることによって調整することができる。例えば、赤色、緑色、青色のレーザ光を発振させることが可能である。
【００５２】
本実施の形態における半導体レーザ素子１は、赤色のレーザ光を出射するように構成されている。この場合、基板２０としてＧａＡｓ基板からなる半導体基板を用いて、レーザアレイ部１０をＡｌｘＧａｙＩｎ１−ｘ−ｙＡｓｚＰ１−ｚ（但し、０≦ｘ，ｙ，ｚ≦１、０≦ｘ＋ｙ≦１である。）で表されるＩＩＩ−Ｖ族化合物半導体からなる半導体材料によって構成することで、赤色のレーザ光を出射する半導体レーザ素子１を得ることができる。
【００５３】
具体的には、基板２０として、厚さが８０μｍで主面が（１００）面であるｎ型ＧａＡｓ基板を用いることができる。この場合、ＡｌＧａＩｎＰ系半導体材料からなるレーザアレイ部１０としては、第１クラッド層１１としてｎ型クラッド層を用い、第１ガイド層１２としてアンドープのｎ側ガイド層を用い、活性層１３としてアンドープの活性層を用い、第２ガイド層１４としてアンドープのｐ側ガイド層を用い、第２クラッド層１５としてｐ型クラッド層を用い、コンタクト層１６としてｐ型コンタクト層を用いることができる。
【００５４】
一例として、第１クラッド層１１は、膜厚１μｍのｎ−（Ａｌ０．６Ｇａ０．４）０．５Ｉｎ０．５Ｐであり、第１ガイド層１２は、膜厚０．１μｍのｕ−（Ａｌ０．４Ｇａ０．６）０．５Ｉｎ０．５Ｐであり、活性層１３は、膜厚が１０ｎｍのｕ−Ｉｎ０．５Ｇａ０．５Ｐであり、第２ガイド層１４は、膜厚が０．１μｍのｕ−（Ａｌ０．４Ｇａ０．６）０．５Ｉｎ０．５Ｐであり、第２クラッド層１５は、膜厚が０．５μｍのｐ−（Ａｌ０．６Ｇａ０．４）０．５Ｉｎ０．５Ｐであり、コンタクト層１６は、膜厚が０．１μｍのｐ−ＧａＡｓである。なお、第１電極５１はｎ側電極であり、第２電極５２はｐ側電極であり、それぞれ、Ｃｒ、Ｔｉ、Ｎｉ、Ｐｄ、Ｐｔ、Ａｕなどの金属材料によって構成される。
【００５５】
次に、本実施の形態における半導体レーザ素子１の特徴となる構成について、図１を参照しながら、図２を用いて説明する。図２において、（ａ）は、実施の形態１に係る半導体レーザ素子１におけるレーザ光出射端面の構造図であり、（ｂ）は、同半導体レーザ素子１における活性層１３の温度分布を示す図であり、（ｃ）は、同半導体レーザ素子１における活性層１３のバンドギャップを示す図であり、（ｄ）は、同半導体レーザ素子１の５つのエミッタ３０から出射するレーザ光の発振波長を示す図である。なお、図２の（ａ）では、第１電極５１、第２電極５２及び絶縁層６０は省略している。
【００５６】
図１及び図２（ａ）に示すように、本実施の形態における半導体レーザ素子１のレーザアレイ部１０には、５つのリッジ部４０が設けられている。各リッジ部４０は、第２クラッド層１５及びコンタクト層１６によって構成されている。
【００５７】
図２（ａ）に示すように、５つのリッジ部４０を、レーザアレイ部１０の左端から右端に向かって、リッジ部Ｒｌ２、リッジ部Ｒｌ１、リッジ部ＲＣ０、リッジ部Ｒｒ１、リッジ部Ｒｒ２とすると、リッジ部ＲＣ０は、レーザアレイ部１０の中央に位置している。
【００５８】
そして、本実施の形態では、複数のリッジ部４０における隣り合う２つのリッジ部４０の間隔には、異なる長さが含まれている。具体的には、レーザアレイ部１０には５つのリッジ部４０が形成されているので、隣り合う２つのリッジ部４０の間隔（リッジ間隔）としては、レーザアレイ部１０の左端から右端に向かって、第１間隔ｄｌ２（リッジ部Ｒｌ２とリッジ部Ｒｌ１との間隔）、第２間隔ｄｌ１（リッジ部Ｒｌ１とリッジ部ＲＣ０との間隔）、第３間隔ｄｒ１（リッジ部ＲＣ０とリッジ部Ｒｒ１との間隔）、第４間隔ｄｒ２（リッジ部Ｒｒ１とリッジ部Ｒｒ２との間隔）の４つの間隔が存在している。また、これらの４つの間隔は、いずれも互いに異なっている。
【００５９】
一例として、レーザアレイ部１０の幅（チップ幅）が２５０μｍで、レーザアレイ部１０の共振器長が１ｍｍである場合、隣り合う２つのリッジ部４０の４つの間隔については、ｄｌ２＝６０μｍ、ｄｌ１＝４０μｍ、ｄｒ１＝５０μｍ、ｄｒ２＝３０μｍである。なお、５つのリッジ部４０の幅（リッジ幅）は、同じであり、いずれも５μｍである。また、５つのリッジ部４０の傾斜角（リッジ角）は、いずれも同じである。
【００６０】
このように、本実施の形態では、各リッジ部４０の幅及びリッジ角は、いずれも同じであるが、隣り合う２つのリッジ部４０の間隔には異なる長さが含まれており、５つのリッジ部４０は、４つのリッジ部Ｒｌ２、Ｒｌ１、Ｒｒ１及びＲｒ２が、中央のリッジ部ＲＣ０に対して非対称に配置されている。
【００６１】
また、エミッタ３０の位置及び幅は、リッジ部４０の位置及び幅に対応している。これにより、複数のエミッタ３０における隣り合う２つのエミッタ３０には、リッジ部４０と同様に、異なる長さが含まれることになる。具体的には、５つのリッジ部４０に対応して５つのエミッタ３０が存在するので、隣り合う２つのエミッタ３０の間隔（エミッタ間隔）としては、４つ存在する。
【００６２】
ここで、隣り合う２つのエミッタ３０の間隔（エミッタ間隔）とは、隣り合う２つのエミッタ３０の中点を結ぶ距離のことである。また、各エミッタ３０の中点は、各リッジ部４０の中点と一致し、各リッジ部４０の最下部の左右の角（根元の左右の２点）同士を結ぶ線分の中点となる。具体的には、図３に示すように、出射端面においてリッジ部４０の左側の根元の点の座標をＰ１（ｘ１，ｙ１）とし、リッジ部４０の右側の根元の点の座標をＰ２（ｘ２，ｙ２）とすると、Ｐ３（（ｘ１＋ｘ２）／２，（ｙ１＋ｙ２）／２）の座標で表される点が、各リッジ部４０の中点であり、各エミッタ３０の中点となる。
【００６３】
また、エミッタ３０の幅（エミッタ幅）は、リッジ部４０の左右の最下部の角（左右の根元の２点）を結ぶ線の長さとほぼ等価である。具体的には、図３において、エミッタ３０の幅は、点Ｐ１と点Ｐ２とを結ぶ線分の長さになるので、｛（ｘ１−ｘ２）２＋（ｙ１−ｙ２）２｝１／２で表される。
【００６４】
隣り合う２つのエミッタ３０の間隔（エミッタ間隔）は、隣り合う２つのリッジ部４０の間隔（リッジ間隔）と一致するので、４つのエミッタ間隔は、リッジ間隔と同様に、第１間隔ｄｌ２、第２間隔ｄｌ１、第３間隔ｄｒ１、第４間隔ｄｒ２となり、いずれも互いに異なっている。
【００６５】
また、エミッタ３０の幅（エミッタ幅）とは、発光二次元分布において、複数のエミッタ３０が並んだ方向の長さである。したがって、各エミッタ３０の幅は、リッジ部４０の幅（リッジ幅）と一致する。本実施の形態において、５つのエミッタ幅は、リッジ幅と同様に、いずれも互いに同じ値であり、それぞれ５μｍである。
【００６６】
このように構成される半導体レーザ素子１では、５つのエミッタ間隔をレーザアレイ部１０の位置によって異ならせている。これにより、エミッタ間隔が密となる場所では熱が溜まりやすく、エミッタ間隔が疎となる場所では放熱が助長されるので、温度分布を変調させることができる。
【００６７】
本実施の形態では、第２間隔ｄｌ１が相対的に狭いために、リッジ部Ｒｌ１及びＲＣ０に対応するエミッタ３０での放熱性が低くなる。また、第４間隔ｄｒ２も相対的に狭いため、リッジ部Ｒｒ１及びＲｒ２に対応するエミッタ３０の放熱性も低くなる。
【００６８】
また、リッジ部Ｒｒ１及びＲｒ２は、リッジ部Ｒｌ１及びＲＣ０に比べて、レーザアレイ部１０の端部側に位置している。このため、リッジ部Ｒｒ１及びＲｒ２に対応するエミッタ３０の放熱性は、リッジ部Ｒｌ１及びＲＣ０に対応するエミッタ３０の放熱性よりも良くなる。
【００６９】
この結果、活性層１３の温度分布が変調する。具体的には、活性層１３の温度分布は、図２（ｂ）に示すように変化する。活性層１３の温度が上がると、活性層１３の材料のバンドギャップが小さくなるため、活性層１３のバンドギャップは、活性層１３の温度分布にしたがって変調し、図２（ｃ）に示すように変化する。
【００７０】
ここで、レーザ光の発振波長は、活性層１３のバンドギャップが小さくなるほど長波長になることから、５つのエミッタ３０の各々から出射するレーザ光の発振波長を５つのエミッタ３０の位置に対応させてプロットすると、活性層１３のバンドギャップの分布にしたがって、図２（ｄ）に示すようにしてレーザ光の発振波長が変化する。つまり、５つのレーザ光の発振波長は、非対称な分布を示す。
【００７１】
具体的には、５つのリッジ部Ｒｌ２、Ｒｌ１、ＲＣ０、Ｒｒ１及びＲｒ２に対応する５つのエミッタ３０からは、レーザアレイ部１０の左端から右端に向かって順に、６３０．０ｎｍ、６３２．５ｎｍ、６３２．０ｎｍ、６３１．０ｎｍ、６３１．５ｎｍの赤色のレーザ光が出射する。
【００７２】
このように、本実施の形態では、５つのレーザ光の波長の変化は、５つのリッジ部４０の間隔（つまり複数のエミッタ３０の間隔）の違いにより生じている。なお、本実施の形態では、５つのエミッタ３０から出射する５本の赤色のレーザ光は、数ｎｍの範囲内で波長が変化している。
【００７３】
以上、本実施の形態における半導体レーザ素子１では、複数のエミッタ３０から同系色の複数のレーザ光が出射するが、複数のレーザ光には異なる波長のレーザ光が含まれているので、スペックル雑音を抑制することができる。特に、隣り合う２つのレーザ光の波長が異なっているので、スペックル雑音を効果的に抑制することができる。
【００７４】
さらに、本実施の形態における半導体レーザ素子１では、プロットした各波長に対応する５つの点には、極値が存在している。本実施の形態では、図２（ｄ）に示すように、リッジ部Ｒｌ１及びＲｒ１の２箇所に対応する位置に、極値が存在している。そして、このレーザ光の変化の分布における極値は、レーザアレイ部１０の中心（中央のリッジ部ＲＣ０）に対応する位置には存在せず、かつ、レーザアレイ部１０の中心から離れたところに対応する位置に存在している。
【００７５】
これにより、人間が最も注視する視野中央部（例えばスクリーン面の中央付近）では、複数のレーザ光の重なりによる干渉が無くなるため、スペックル雑音が抑制される。また、仮に複数のレーザ光が重なり合って干渉する場合でも、中央部から離れた位置となる。この結果、視野中央部に視点がいきやすい人間にとっては、スペックル雑音が感じにくくなる。
【００７６】
しかも、レーザ光の波長の変化に極値を持たせることで、複数のエミッタ３０から出射する複数のレーザ光について、最大波長のレーザ光と最小波長のレーザ光との波長差を小さくすることができる。つまり、５つ全てのレーザ光の波長の分布が単調増加又は単調減少の関係になっていないので、５つ全てのレーザ光の波長の分布が単調増加又は単調減少の関係になっている場合と比べて、最大波長のレーザ光と最小波長のレーザ光との波長差を小さくすることができる。これにより、複数のエミッタ３０から出射する赤色のレーザ光の波長差を小さくできるので、レーザアレイ部１０から出射するレーザ光の色純度が低下することを抑制できる。
【００７７】
このように、本実施の形態における半導体レーザ素子１によれば、スペックル雑音を目立たせることなく、かつ、色純度を低下することなく、レーザ光を出射させることができる。
【００７８】
なお、複数のエミッタ３０を含むレーザアレイ部１０から出射レーザ光の中心波長とは、次のように定義されるエミッタ３０から出射されるレーザ光の波長である。具体的には、エミッタ３０の数が２ｎ−１で表される奇数である場合は、レーザアレイ部１０の左端又は右端からｎ番目のエミッタ（エミッタ３０）のことであり、エミッタ（エミッタ３０）の数が２ｎで表される偶数である場合は、レーザアレイ部１０の左端又は右端からｎ番目とｎ＋１番目のエミッタ（エミッタ３０）のことである。なお、ｎは、３以上の自然数である。このことは、以下の実施の形態においても同様である。
【００７９】
（実施の形態２）
次に、実施の形態２に係る半導体レーザ素子２について、図４を用いて説明する。図４において、（ａ）は、実施の形態２に係る半導体レーザ素子２におけるレーザ光出射端面の構造図であり、（ｂ）は、同半導体レーザ素子２における５つのエミッタ３０の幅を示す図であり、（ｃ）は、同半導体レーザ素子２の５つのエミッタ３０に対応する導波路の実効屈折率を示す図であり、（ｄ）は、同半導体レーザ素子２の５つのエミッタ３０から出射するレーザ光の発振波長を示す図である。なお、図４の（ａ）では、第１電極５１、第２電極５２及び絶縁層６０は省略している。
【００８０】
本実施の形態における半導体レーザ素子２と上記実施の形態１における半導体レーザ素子１とは、５つのリッジ部４０の幅及び間隔が異なる。
【００８１】
具体的には、上記実施の形態１では、５つのリッジ部４０について、隣り合う２つのリッジ部４０の４つの間隔が全て同じではなく、４つの間隔には異なる長さが含まれていた。また、上記実施の形態１では、５つのリッジ部４０の幅が全て同じであった。
【００８２】
これに対して、本実施の形態では、図４（ａ）に示すように、５つのリッジ部４０について、隣り合う２つのリッジ部４０の４つの間隔が全て同じであるが、５つのリッジ部４０の幅が全て同じではなく、５つのリッジ部４０の幅には異なる長さが含まれている。リッジ部４０の幅を変えるには、例えばフォトマスクのパターンを変えることで容易に実現できる。
【００８３】
一例として、本実施の形態における半導体レーザ素子２では、レーザアレイ部１０の幅（チップ幅）が２５０μｍで、レーザアレイ部１０の共振器長が１ｍｍである場合、レーザアレイ部１０の左端から右端に向かって、リッジ部Ｒｌ２、Ｒｌ１、ＲＣ０、Ｒｒ１及びＲｒ２の幅を、それぞれ、第１幅ｗｌ２、第２幅ｗｌ１、第３幅ｗｃ０、第４幅ｗｒ１、第５幅ｗｒ２とすると、ｗｌ２＝５μｍ、ｗｌ１＝１０μｍ、ｗＣ０＝５μｍ、ｗｒ１＝２μｍ、ｗｒ２＝５μｍである。なお、隣り合う２つのリッジ部４０の間隔は、４つとも全て５０μｍである。
【００８４】
また、エミッタ３０の位置及び幅は、上記のように、リッジ部４０の位置及び幅に対応している。これにより、複数のエミッタ３０の各々の幅には、異なる長さが含まれることになる。本実施の形態には、５つのリッジ部４０の幅には、異なる３つの長さが存在するので、図４（ｂ）に示すように、５つのエミッタ３０の幅には、リッジ部４０の幅に対応して、異なる３つの長さが存在する。
【００８５】
具体的には、上記のように、エミッタ３０の幅（エミッタ幅）は、リッジ部４０の左右の最下部の角（左右の根元の２点）を結ぶ線の長さとほぼ等価であるので、本実施の形態では、５つのエミッタ３０の幅は、５つのリッジ部４０の幅と同様に、レーザアレイ部１０の左端から右端に向かって、５μｍ、１０μｍ、５μｍ、２μｍ、５μｍとなる。
【００８６】
ここで、エミッタ３０の幅の長さによって、導波路を伝搬する光が感じる屈折率は実効的が変化し、近視野分布を考慮した屈折率（導波光が平均的に感じる屈折率）、いわゆる実効屈折率Ｎｅｆｆが変化する。具体的には、エミッタ３０の幅が大きくなると、実効屈折率Ｎｅｆｆが大きくなり、逆に、エミッタ３０の幅が小さくなると、実効屈折率Ｎｅｆｆが小さくなる。このため、レーザアレイ部１０における導波路の実効屈折率は、各エミッタ３０の幅の長さの変化に連動して、図４（ｃ）に示すように変化する。
【００８７】
この結果、５つのエミッタ３０の各々から出射するレーザ光の発振波長を５つのエミッタ３０の位置に対応させてプロットすると、導波路の実効屈折率の分布にしたがって、図４（ｄ）に示すようにしてレーザ光の発振波長が変化する。つまり、５つのレーザ光の発振波長は、非対称な分布を示す。
【００８８】
具体的には、５つのリッジ部Ｒｌ２、Ｒｌ１、ＲＣ０、Ｒｒ１及びＲｒ２に対応する５つのエミッタ３０からは、レーザアレイ部１０の左端から右端に向かって順に、６３１ｎｍ、６３２ｎｍ、６３１ｎｍ、６３０ｎｍ、６３１ｎｍの赤色のレーザ光が出射する。
【００８９】
このように、上記実施の形態１では、複数のエミッタ３０から出射する複数のレーザ光の波長の変化は、複数のリッジ部４０の間隔（エミッタ３０の間隔）の違いにより生じていたが、本実施の形態では、複数のエミッタ３０から出射する複数のレーザ光の波長の変化は、複数のリッジ部４０の幅（複数のエミッタ３０の幅）の違いにより生じている。具体的には、５つのリッジ部４０の幅（５つのエミッタ３０の幅）の違いにより、５つのレーザ光の波長の変化が生じている。つまり、本実施の形態では、複数のリッジ部４０の幅（複数のエミッタ３０）の各々の幅をレーザアレイ部１０の位置によって異ならせることで、リッジ部４０の幅（エミッタの幅３０）を変調させている。なお、本実施の形態でも、５つのエミッタ３０から出射する赤色のレーザ光は、数ｎｍの範囲内で波長が変化している。
【００９０】
以上、本実施の形態における半導体レーザ素子２でも、複数のエミッタ３０から同系色の複数のレーザ光が出射するが、実施の形態１と同様に、複数のレーザ光には異なる波長のレーザ光が含まれているので、スペックル雑音を抑制することができる。
【００９１】
さらに、本実施の形態における半導体レーザ素子２でも、プロットした各波長に対応する５つの点には、極値が存在している。具体的には、図４（ｄ）に示すように、リッジ部Ｒｌ１及びＲｒ１の２箇所に対応する位置に、極値が存在している。そして、このレーザ光の変化の分布における極値は、レーザアレイ部１０の中心（中央のリッジ部ＲＣ０）に対応する位置には存在せず、かつ、レーザアレイ部１０の中心から離れたところに対応する位置に存在している。
【００９２】
これにより、本実施の形態における半導体レーザ素子２においても、実施の形態１と同様に、スペックル雑音を目立たせることなく、かつ、色純度を低下することなく、レーザ光を出射させることができる。
【００９３】
なお、本実施の形態では、５つのリッジ部４０の幅及び５つのエミッタ３０の幅には、異なる３つの長さが存在していたが、これに限らず、５つのリッジ部４０の幅及び５つのエミッタ３０の幅は、全て異なっていてもよい。また、リッジ部４０の幅及びエミッタ３０幅が大きすぎると、実効屈折率に対するエミッタ３０の幅の依存性が小さくなるため、リッジ部４０の幅はあまり大きくしすぎない方がよい。例えば、リッジ部４０の幅は、最大で１００μｍ程度であるとよい。
【００９４】
（実施の形態３）
次に、実施の形態３に係る半導体レーザ素子３について、図５を用いて説明する。図５において、（ａ）は、実施の形態３に係る半導体レーザ素子３におけるレーザ光出射端面の構造図であり、（ｂ）は、同半導体レーザ素子３における基板の表面のオフ角の分布を示す図であり、（ｃ）は、同半導体レーザ素子３における活性層１３のバンドギャップを示す図であり、（ｄ）は、同半導体レーザ素子３の５つのエミッタ３０から出射するレーザ光の発振波長を示す図である。なお、図５の（ａ）では、第１電極５１、第２電極５２及び絶縁層６０は省略している。
【００９５】
本実施の形態における半導体レーザ素子３と上記実施の形態１における半導体レーザ素子１とは、基板２０が異なる。具体的には、上記実施の形態１では、基板２０のオフ角は一定であったが、本実施の形態では、図５（ａ）に示すように、基板２０のオフ角は一定ではない。この結果、図５（ａ）に示すように、基板２０の上に形成されるレーザアレイ部１０の層構造も、実施の形態１とは異なる。
【００９６】
基板２０にオフ角を設けると、そのオフ角に応じて、基板２０上に結晶成長する活性層１３のバンドギャップが変化し、レーザ光の発振波長が変化する。例えば、基板２０としてＧａＡｓ基板を用いて、ＧａＡｓ基板上にレーザアレイ部１０としてＡｌＧａＩｎＰ系の半導体層を積層する場合、ＧａＡｓ基板の面方位に対する傾き（オフ角）を設け、例えばＧａＡｓ基板の面方位を（１００）面から［０１１］方向に傾けると、活性層１３のバンドギャップが変化し、レーザ光の発振波長が変化する。
【００９７】
そこで、複数のエミッタ３０に対応して異なる複数のオフ角を基板２０に存在させることで、活性層１３のバンドギャップをエミッタ３０ごとに変えることが可能となり、レーザ光の発振波長を部分的に変化させることができる。本実施の形態では、ＧａＡｓ基板の表面のオフ角を５つのエミッタ３０ごとに変えることにより、レーザ光の発振波長を制御した。
【００９８】
ＧａＡｓ基板の表面のオフ角をエミッタ３０ごとに変える方法としては、以下の方法が考えられる。
【００９９】
１つ目の方法は、基板２０を反らせる方法である。この場合、まず、両主面が（１００）面であるＧａＡｓ基板の一方の面にＡｌＡｓ層を成長させ、ＧａＡｓ基板とＡｌＡｓ層との線膨張係数差によってＧａＡｓ基板を反らせる。このＧａＡｓ基板の反りによって、＜１００＞方向がＧａＡｓ基板の場所によって部分的に異なることになる。そして、その反ったＧａＡｓ基板の他方の面を平坦に研磨することで、その研磨した面には場所によりオフ角が異なるＧａＡｓ面が現れる。このオフ角の場所依存性をエミッタ３０の位置に整合させる。
【０１００】
２つ目の方法は、エッチングによる方法である。この場合、まず、両主面が（１００）面であるＧａＡｓ基板の一方の面に、エミッタ３０ごとに対応するレジストを形成し、このレジストに対してドライエッチングにより傾斜をつける。このレジストをマスクにして、ＧａＡｓ基板をエッチングすることにより、（１００）面に対するオフ角を有するＧａＡｓ基板を得ることができる。
【０１０１】
このようにして、基板２０の表面のオフ角をエミッタ３０ごとに変えることができる。本実施の形態では、図５（ｂ）に示すように、５つのエミッタ３０の各々に対応する基板２０のオフ角（ＧａＡＳ基板の（１００）面から［０１１］方向の傾き）を、それぞれ、９°、６°、３°、０°、３°にした。
【０１０２】
これにより、図５（ｃ）に示すように、活性層１３のバンドギャップがエミッタ３０ごとに変化する。具体的には、基板２０のオフ角の変化とは逆の大小関係となるように活性層１３のバンドギャップが変化する。
【０１０３】
ここで、レーザ光の発振波長は、活性層１３のバンドギャップが小さくなるほど長波長になることから、５つのエミッタ３０の各々から出射するレーザ光の発振波長を５つのエミッタ３０の位置に対応させてプロットすると、活性層１３のバンドギャップの分布にしたがって、図５（ｄ）に示すようにしてレーザ光の発振波長が変化する。つまり、５つのレーザ光の発振波長は、非対称な分布を示す。
【０１０４】
具体的には、５つのリッジ部Ｒｌ２、Ｒｌ１、ＲＣ０、Ｒｒ１及びＲｒ２に対応する５つのエミッタ３０からは、レーザアレイ部１０の左端から右端に向かって順に、６５０ｎｍ、６５２ｎｍ、６６０ｎｍ、６６８ｎｍ、６６０ｎｍの赤色のレーザ光が出射する。
【０１０５】
このように、上記実施の形態１では、複数のエミッタ３０から出射する複数のレーザ光の波長の変化は、複数のリッジ部４０の間隔（エミッタ３０の間隔）の違いにより生じていたが、本実施の形態では、複数のエミッタ３０から出射する複数のレーザ光の波長の変化は、基板２０のオフ角の違いにより生じている。つまり、本実施の形態では、エミッタ３０の位置に対応する基板２０のオフ角を異ならせることで、レーザ光の発振波長の分布を変調させている。なお、本実施の形態では、５つのエミッタ３０から出射する赤色のレーザ光は、十数ｎｍの範囲内で波長が変化している。
【０１０６】
以上、本実施の形態における半導体レーザ素子３でも、複数のエミッタ３０から同系色の複数のレーザ光が出射するが、実施の形態１と同様に、複数のレーザ光には異なる波長のレーザ光が含まれているので、スペックル雑音を抑制することができる。
【０１０７】
さらに、本実施の形態における半導体レーザ素子２でも、プロットした各波長に対応する５つの点には、極値が存在している。具体的には、図５（ｄ）に示すように、リッジ部Ｒｌ１及びＲｒ１の２箇所に対応する位置に、極値が存在している。そして、このレーザ光の変化の分布における極値は、レーザアレイ部１０の中心（中央のリッジ部ＲＣ０）に対応する位置には存在せず、かつ、レーザアレイ部１０の中心から離れたところに対応する位置に存在している。
【０１０８】
これにより、本実施の形態における半導体レーザ素子２においても、実施の形態１と同様に、スペックル雑音を目立たせることなく、かつ、色純度を低下することなく、レーザ光を出射させることができる。
【０１０９】
（実施の形態４）
次に、実施の形態４に係る半導体レーザ素子４について、図６を用いて説明する。図６において、（ａ）は、実施の形態４に係る半導体レーザ素子４におけるレーザ光出射端面の構造図であり、（ｂ）は、同半導体レーザ素子４におけるリッジ部４０の傾斜角の分布を示す図であり、（ｃ）は、同半導体レーザ素子４における５つのエミッタ３０に対応する導波路の実効屈折率を示す図であり、（ｄ）は、同半導体レーザ素子４における５つのエミッタ３０から出射するレーザ光の発振波長を示す図である。なお、図６の（ａ）では、第１電極５１、第２電極５２及び絶縁層６０は省略している。
【０１１０】
本実施の形態における半導体レーザ素子４と上記実施の形態１における半導体レーザ素子１とは、５つのリッジ部４０の傾斜角（リッジ角）の角度が異なる。
【０１１１】
ここで、リッジ部４０の傾斜角とは、平均リッジ角として、次のように定義することができる。具体的には、上記の図３において、リッジ部４０の最下部の左右の角（根元の左右の２点）と最上部の左右の角（頂部の左右の２点）とを結ぶ２本の線、つまり点Ｐ１及び点Ｐ３を結ぶ線と点Ｐ２及び点Ｐ４を結ぶ線との２本の線が活性層１３の面の法線方向となる角をそれぞれθ１、θ２とすると、リッジ部４０の傾斜角θｒとは、（θ１＋θ２）／２で表される。
【０１１２】
そして、上記実施の形態１では、５つのリッジ部４０について、５つのリッジ部４０の傾斜角が全て同じ角度であったが、本実施の形態では、図６（ａ）に示すように、５つのリッジ部４０の傾斜角θｒの角度が全て同じになっておらず、５つのリッジ部４０の傾斜角θｒには異なる角度が含まれている。つまり、５つのリッジ部４０の傾斜角θｒを変調させている。
【０１１３】
一例として、５つのリッジ部４０について、レーザアレイ部１０の左端から右端に向かって、リッジ部Ｒｌ２、Ｒｌ１、ＲＣ０、Ｒｒ１及びＲｒ２の傾斜角θｒの角度を、１０°、２０°、１０°、０°、１０°にしている。これにより、リッジ部４０の傾斜角θｒの分布は、図６（ｂ）に示すように変化する。なお、各リッジ部４０における左右の傾斜角θｒの角度の絶対値は同じである。
【０１１４】
ここで、リッジ部４０の傾斜角θｒによって導波路の実効屈折率が変化する。具体的には、同一のリッジ幅に対して、リッジ部４０の傾斜角θｒが大きくなると、エミッタ３０の実効的な幅が広がって実効屈折率が大きくなり、リッジ部４０の傾斜角θｒが小さくなると、エミッタ３０の実効的な幅が狭くなって実効屈折率が小さくなる。このため、レーザアレイ部１０における導波路の実効屈折率は、各リッジ部４０の傾斜角θｒの変化に連動して、図６（ｃ）に示すように変化する。
【０１１５】
この結果、５つのエミッタ３０の各々から出射するレーザ光の発振波長を５つのエミッタ３０の位置に対応させてプロットすると、導波路の実効屈折率の分布にしたがって、図６（ｄ）に示すようにしてレーザ光の発振波長が変化する。つまり、５つのレーザ光の発振波長は、非対称な分布を示す。
【０１１６】
具体的には、５つのリッジ部Ｒｌ２、Ｒｌ１、ＲＣ０、Ｒｒ１及びＲｒ２に対応する５つのエミッタ３０からは、レーザアレイ部１０の左端から右端に向かって順に、６３１ｎｍ、６３２ｎｍ、６３１ｎｍ、６３０ｎｍ、６３１ｎｍの赤色のレーザ光が出射する。
【０１１７】
このように、上記実施の形態１では、複数のエミッタ３０から出射する複数のレーザ光の波長の変化は、複数のリッジ部４０の間隔（エミッタ３０の間隔）の違いにより生じていたが、本実施の形態では、複数のエミッタ３０から出射する複数のレーザ光の波長の変化は、リッジ部４０の傾斜角（平均リッジ角）の違いにより生じている。つまり、本実施の形態では、複数のリッジ部４０の各々の傾斜角をリッジ部４０ごとに異ならせてエミッタ３０の実質的な幅を変調させることで、レーザ光の発振波長の分布を変調させている。
【０１１８】
以上、本実施の形態における半導体レーザ素子４でも、複数のエミッタ３０から同系色の複数のレーザ光が出射するが、実施の形態１と同様に、複数のレーザ光には異なる波長のレーザ光が含まれているので、スペックル雑音を抑制することができる。
【０１１９】
さらに、本実施の形態における半導体レーザ素子４でも、プロットした各波長に対応する５つの点には、極値が存在している。具体的には、図６（ｄ）に示すように、リッジ部Ｒｌ１及びＲｒ１の２箇所に対応する位置に、極値が存在している。そして、このレーザ光の変化の分布における極値は、レーザアレイ部１０の中心（中央のリッジ部ＲＣ０）に対応する位置には存在せず、かつ、レーザアレイ部１０の中心から離れたところに対応する位置に存在している。
【０１２０】
これにより、本実施の形態における半導体レーザ素子４においても、実施の形態１と同様に、スペックル雑音を目立たせることなく、かつ、色純度を低下することなく、レーザ光を出射させることができる。
【０１２１】
なお、リッジ部４０ごとに傾斜角θｒを変えるには、例えば、リッジ部４０を形成する際のドライエッチング時に、レーザ光を外部から照射してリッジ部４０ごとに温度を変えればよい。
【０１２２】
（実施の形態５）
次に、実施の形態５に係る半導体レーザ装置１００について、図７及び図８を用いて説明する。図７は、実施の形態５に係る半導体レーザ装置１００の斜視図である。図８において、（ａ）は、実施の形態５に係る半導体レーザ装置１００におけるレーザ光出射端面の構造を示す図であり、（ｂ）は、同半導体レーザ装置１００における冷却水の温度分布を示す図であり、（ｃ）は、同半導体レーザ素子４における活性層１３の温度分布を示す図であり、（ｄ）は、同半導体レーザ素子４における５つのエミッタ３０から出射するレーザ光の発振波長を示す図である。なお、図８の（ａ）では、第１電極５１、第２電極５２及び絶縁層６０は省略している。
【０１２３】
図７及び図８（ａ）に示すように、本実施の形態における半導体レーザ装置１００は、半導体レーザ素子５と、サブマウント１１０と、水冷ヒートシンク１２０とを備える。
【０１２４】
本実施の形態における半導体レーザ素子５は、上記実施の形態１における半導体レーザ素子１と同様に、基板２０と、基板２０上に位置し、レーザ光を出射する複数のエミッタ３０（発光部）が並んで配置されたレーザアレイ部１０とを備える。
【０１２５】
レーザアレイ部１０は、第１クラッド層１１と、第１ガイド層１２と、活性層１３と、第２ガイド層１４と、第２クラッド層１５と、コンタクト層１６とがこの順に積層された積層体である。
【０１２６】
レーザアレイ部１０は、リッジ部４０を有するリッジ導波路型構造を有する。具体的には、上記実施の形態１と同様に、レーザアレイ部１０は、複数のリッジ部４０を有する。本実施の形態でも、レーザアレイ部１０には、５つのリッジ部４０が形成されている。つまり、レーザアレイ部１０には、５つのリッジ部４０に対応して５つのエミッタ３０が存在している。
【０１２７】
また、本実施の形態において、５つのリッジ部４０において、隣り合う２つのリッジ部４０の間隔（リッジ間隔）、各リッジ部４０の幅（リッジ幅）、及び、各リッジ部４０の傾斜角については、全て同じである。したがって、５つのエミッタ３０においても、隣り合う２つのエミッタ３０の間隔（エミッタ間隔）及び各エミッタ３０の幅（エミッタ幅）については、全て同じである。一例として、リッジ間隔及びエミッタ間隔は、全て１００μｍであり、リッジ幅及びエミッタ幅は、全て１０μｍであり、リッジ部４０の傾斜角は、全て１５°である。
【０１２８】
なお、半導体レーザ素子５には、上記実施の形態１における半導体レーザ素子１と同様に、さらに、第１電極５１と、第２電極５２と、絶縁層６０とが形成されている。
【０１２９】
本実施の形態における半導体レーザ素子５は、青色のレーザ光を出射するように構成されている。この場合、基板２０としてＧａＮ基板からなる半導体基板を用いて、レーザアレイ部１０をＡｌｘＧａｙＩｎ１−ｘ−ｙＮ（但し、０≦ｘ，ｙ≦１、０≦ｘ＋ｙ≦１である。）で表されるＩＩＩ族窒化物半導体からなる半導体材料によって構成することで、青色のレーザ光を出射する半導体レーザ素子５を得ることができる。
【０１３０】
具体的には、基板２０として、厚さが８０μｍで主面が（０００１）面であるｎ型ＧａＮ基板を用いることができる。この場合、ＧａＮ系半導体材料からなるレーザアレイ部１０としては、第１クラッド層１１としてｎ型クラッド層を用い、第１ガイド層１２としてアンドープのｎ側ガイド層を用い、活性層１３としてアンドープの活性層を用い、第２ガイド層１４としてアンドープのｐ側ガイド層を用い、第２クラッド層１５としてｐ型クラッド層を用い、コンタクト層１６としてｐ型コンタクト層を用いることができる。
【０１３１】
一例として、第１クラッド層１１は、膜厚０．５μｍのｎ−Ａｌ０．２Ｇａ０．８Ｎであり、第１ガイド層１２は、膜厚０．１μｍのｕ−ＧａＮであり、活性層１３は、膜厚が９ｎｍのｕ−Ｉｎ０．３Ｇａ０．７Ｎであり、第２ガイド層１４は、膜厚が０．１μｍのｕ−ＧａＮであり、第２クラッド層１５は、膜厚が０．３μｍのｐ−Ａｌ０．２Ｇａ０．８Ｎであり、コンタクト層１６は、膜厚が０．１μｍのｐ−ＧａＮである。なお、第１電極５１はｎ側電極であり、第２電極５２はｐ側電極であり、それぞれ、Ｃｒ、Ｔｉ、Ｎｉ、Ｐｄ、Ｐｔ、Ａｕなどの金属材料によって構成される。
【０１３２】
なお、活性層１３からの電子漏れを防ぐためにＡｌＧａＮオーバーフロー抑制層を、活性層１３と第２ガイド層１４との間、又は、第２ガイド層１４と第２クラッド層１５との間に挿入してもよい。
【０１３３】
このように構成される半導体レーザ素子５は、サブマウント１１０に実装される。本実施の形態では、サブマウント１１０として、横２ｍｍ、縦１．５ｍｍ、厚み０．３ｍｍの板状のＳｉＣからなるサブマウントを用いている。サブマウント１１０は、水冷ヒートシンク１２０に配置される。
【０１３４】
水冷ヒートシンク１２０は、半導体レーザ素子５を冷却する。特に、水冷ヒートシンク１２０は、レーザアレイ部１０を冷却する。水冷ヒートシンク１２０は、例えば冷却水が流れる流路を有する金属体である。金属体の材質としては、銅、アルミニウム又はステンレス等を用いることができる。本実施の形態では、水冷ヒートシンク１２０として、横１０ｍｍ、縦８ｍｍ、厚み５ｍｍの板状の銅製のヒートシンクを用いている。
【０１３５】
水冷ヒートシンク１２０において、冷却水は、水冷ヒートシンク１２０内を一方通行的に流れる。本実施の形態では、水冷ヒートシンクには、互いに分離された２本の直線状の流路が設けられており、冷却水は、各流路の一方から他方に向かって直線状に流れる。また、水冷ヒートシンク１２０の冷却水は、レーザアレイ部１０のエミッタ３０が並んでいる方向に流れている。つまり、冷却水は、リッジ部４０の延在方向（ストライプ方向）と直交する方向に流れている。また、水冷ヒートシンク１２０の冷却水は、例えば、２本の流路の各々を２Ｌ／分の流量で流れる。
【０１３６】
このように構成される半導体レーザ装置１００では、冷却水の入口側では冷却水の温度が低いが、冷却水が流れるにしたがって冷却水がエミッタ３０の発熱を吸収するため、下流側ほど冷却水の温度が上昇していく。つまり、水冷ヒートシンク１２０を流れる冷却水は、冷却水が入口側では水温が低いため冷却能力が高いが、冷却水の出口側ではエミッタ３０で発生する熱の吸熱で温度が上がるため冷却能力が低くなり、冷却水の温度は、図８（ｂ）に示すような温度勾配となる。
【０１３７】
このような冷却水の温度勾配によって、レーザアレイ部１０における冷却水の下流側（冷却水の出口側）では、冷却水による冷却効果が低下する。これにより、レーザアレイ部１０において最も熱がたまる場所が、レーザアレイ部１０の中央部から冷却水の出口側にシフトし、レーザアレイ部１０の温度分布を変調させることができる。
【０１３８】
この結果、例えば、活性層１３の温度は、図８（ｃ）に示すように変化する。これにより、５つのエミッタ３０の各々から出射するレーザ光の発振波長を５つのエミッタ３０の位置に対応させてプロットすると、活性層１３の温度分布にしたがって、図８（ｄ）に示すようにしてレーザ光の発振波長が変化する。つまり、５つのレーザ光の発振波長は、非対称な分布を示す。
【０１３９】
具体的には、５つのリッジ部Ｒｌ２、Ｒｌ１、ＲＣ０、Ｒｒ１及びＲｒ２に対応する５つのエミッタ３０からは、レーザアレイ部１０の左端から右端に向かって順に、４５０ｎｍ、４５１ｎｍ、４５０ｎｍ、４４９ｎｍ、４４８ｎｍの青色のレーザ光が出射する。
【０１４０】
このように、本実施の形態では、複数のエミッタ３０から出射する複数のレーザ光の波長の変化は、水冷ヒートシンク１２０の冷却水の温度の差により生じている。なお、本実施の形態では、５つのエミッタ３０から出射する青色のレーザ光は、数ｎｍの範囲内で波長が変化している。
【０１４１】
以上、本実施の形態における半導体レーザ装置１００でも、複数のエミッタ３０から同系色の複数のレーザ光が出射するが、他の実施の形態と同様に、複数のレーザ光には異なる波長のレーザ光が含まれているので、スペックル雑音を抑制することができる。
【０１４２】
さらに、本実施の形態における半導体レーザ装置１００でも、プロットした各波長に対応する５つの点には、極値が存在している。具体的には、図８（ｄ）に示すように、リッジ部Ｒｌ１に対応する位置に、極値が存在している。そして、このレーザ光の変化の分布における極値は、レーザアレイ部１０の中心（中央のリッジ部ＲＣ０）に対応する位置には存在せず、かつ、レーザアレイ部１０の中心から離れたところに対応する位置に存在している。
【０１４３】
これにより、本実施の形態における半導体レーザ装置１００においても、他の実施の形態と同様に、スペックル雑音を目立たせることなく、かつ、色純度を低下することなく、レーザ光を出射させることができる。
【０１４４】
また、本実施の形態において、図８（ｂ）に示される冷却水の温度分布は、水冷ヒートシンク１２０に流れる冷却水の流量を調整することで、所望の温度分布にすることができる。つまり、図８（ｄ）に示すようなレーザ光の発振波長の分布は、冷却水の流量を適宜調整することで実現できる。
【０１４５】
また、本実施の形態では、冷却水が流れる方向は、エミッタ３０が並んでいる方向と平行にしたが、冷却水が流れる方向は、エミッタ３０が並んでいる方向と必ず平行である必要はなく、エミッタ３０が並んでいる方向に対して傾いていてもよい。
【０１４６】
例えば、図９に示すように、冷却水が流れる方向（放熱方向）とエミッタ３０が並んでいる方向とのなす角をαとし、冷却水が流れる方向の放熱能力をＦとすると、エミッタ３０が並んでいる方向の放熱成分Ｆｈ（水平方向の放熱成分）は、以下の（式１）で表される。
【０１４７】
【数１】
2019021802.tif 000003
【０１４８】
ここで、一般には、放熱効果が１０％低下してもヒートシンクとして機能するので、以下の（式２）が成り立つ。
【０１４９】
【数２】
2019021802.tif 000004
【０１５０】
したがって、冷却水が流れる方向は、（式２）を満たすα、つまり、α≦約２６°の傾きであれば、各エミッタ３０から出射するレーザ光の波長を冷却水の温度変化により制御することが可能である。つまり、「冷却水がエミッタ３０が並んでいる方向に沿って流れている」とは、２６°程度までの傾きがあってもよく、エミッタ３０が並んでいる方向に対して冷却水が流れる方向の傾きが２６°程度までであれば、上記の効果を奏することができる。
【０１５１】
なお、本実施の形態において、各リッジ部４０における、リッジ間隔、リッジ幅、傾斜角及び組成等は、互いに全て同じにしたが、他の実施の形態のように、異なる値が含まれていてもよい。また、エミッタ３０についても同様に、各エミッタ３０におけるエミッタ間隔及びエミッタ幅は、互いに全て同じにしたが、異なる値が含まれていてもよい。つまり、本実施の形態における半導体レーザ素子として、実施の形態１〜４における半導体レーザ素子を用いてもよい。
【０１５２】
（実施の形態６）
次に、実施の形態６に係るプロジェクタ２００について、図１０を用いて説明する。図１０は、実施の形態６に係るプロジェクタ２００の模式図である。
【０１５３】
図１０に示すように、プロジェクタ２００は、半導体レーザを用いた画像表示装置の一例である。本実施の形態におけるプロジェクタ２００では、光源として、例えば、赤色のレーザ光を出射する半導体レーザ２０１Ｒ、青色のレーザ光を出射する半導体レーザ２０１Ｇ及び緑色のレーザ光を出射する半導体レーザ２０１Ｂが用いられる。また、半導体レーザ２０１Ｒ、半導体レーザ２０１Ｇ及び半導体レーザ２０１Ｂとしては、例えば、上記実施の形態１〜５における半導体レーザ素子又は半導体レーザ装置が用いられる。
【０１５４】
プロジェクタ２００は、レンズ２１０Ｒ、レンズ２１０Ｇ及びレンズ２１０Ｂと、ミラー２２０Ｒ、ダイクロイックミラー２２０Ｇ及びダイクロイックミラー２２０Ｂと、空間変調素子２３０と、投射レンズ２４０とを備える。
【０１５５】
レンズ２１０Ｒ、レンズ２１０Ｇ及びレンズ２１０Ｂは、例えばコリメートレンズであり、それぞれ、半導体レーザ２０１Ｒ、半導体レーザ２０１Ｇ及び半導体レーザ２０１Ｂの前方に配置される。
【０１５６】
ミラー２２０Ｒは、半導体レーザ２０１Ｒから出射した赤色のレーザ光を反射する。ダイクロイックミラー２２０Ｇは、半導体レーザ２０１Ｇから出射した緑色のレーザ光を反射し、かつ、半導体レーザ２０１Ｒから出射した赤色のレーザ光を透過する。ダイクロイックミラー２２０Ｂは、半導体レーザ２０１Ｂから出射した青色のレーザ光を反射し、かつ、半導体レーザ２０１Ｒから出射した赤色のレーザ光を透過するとともに半導体レーザ２０１Ｂから出射した青色のレーザ光を透過する。
【０１５７】
空間変調素子２３０は、プロジェクタ２００に入力される入力画像信号にしたがって、半導体レーザ２０１Ｒからの赤色のレーザ光、半導体レーザ２０１Ｇからの緑色のレーザ光及び半導体レーザ２０１Ｂからの青色のレーザ光を用いて、赤色画像、緑色画像及び青色画像を形成する。空間変調素子２３０としては、例えば液晶パネル又はＭＥＭＳ（マイクロエレクトリックメカニカルシステム）を用いたＤＭＤ（デジタルミラーデバイス）等を用いることができる。
【０１５８】
投射レンズ２４０は、空間変調素子２３０で形成された画像をスクリーン２５０に投影する。
【０１５９】
このように構成されたプロジェクタ２００では、半導体レーザ２０１Ｒ、半導体レーザ２０１Ｇ及び半導体レーザ２０１Ｂから出射したレーザ光は、レンズ２１０Ｒ、レンズ２１０Ｇ及びレンズ２１０Ｂでほぼ平行光にされた後、ミラー２２０Ｒ、ダイクロイックミラー２２０Ｇ及びダイクロイックミラー２２０Ｂに入射する。
【０１６０】
ミラー２２０Ｒは、半導体レーザ２０１Ｒから出射した赤色のレーザ光を４５°方向に反射する。ダイクロイックミラー２２０Ｇは、ミラー２２０Ｒで反射された半導体レーザ２０１Ｒからの赤色のレーザ光を透過するとともに、半導体レーザ２０１Ｇから出射した緑色のレーザ光を４５°方向に反射する。ダイクロイックミラー２２０Ｂは、ミラー２２０Ｒで反射された半導体レーザ２０１Ｒからの赤色のレーザ光及びダイクロイックミラー２２０Ｇで反射された半導体レーザ２０１Ｇからの緑色のレーザ光を透過するとともに、半導体レーザ２０１Ｂから出射した青色のレーザ光を４５°方向に反射する。
【０１６１】
ミラー２２０Ｒ、ダイクロイックミラー２２０Ｇ及びダイクロイックミラー２２０Ｂによって反射した、赤色、緑色及び青色のレーザ光は、時分割（例えば１２０Ｈｚ周期で赤→緑→青が順次切り替わる）で空間変調素子２３０に入射する。この場合、空間変調素子２３０では、赤色のレーザ光が入射されたときは赤色用の画像を表示し、緑色のレーザ光が入射されたときは緑色用の画像を表示し、青色のレーザ光が入射されたときは青色用の画像を表示する。
【０１６２】
このように、空間変調素子２３０によって空間変調を受けた赤色、緑色及び青色のレーザ光は、赤色画像、緑色画像及び青色画像となって、投射レンズ２４０を通して、スクリーン２５０に投影される。この場合、時分割でスクリーン２５０に投影された赤色画像、緑色画像及び青色画像の各々は、単色であるが、高速に切り替わるため、人間の目には、これの画像が混ざった色の画像、すなわちカラー画像として認識される。
【０１６３】
以上、本実施の形態におけるプロジェクタ２００では、半導体レーザ２０１Ｒ、半導体レーザ２０１Ｇ及び半導体レーザ２０１Ｂとして、上記実施の形態１〜５における半導体レーザ素子又は半導体レーザ装置が用いられている。つまり、スペックル雑音を目立たせることなく、かつ、色純度を低下することなく、複数のレーザ光を出射することができる半導体レーザ素子及び半導体レーザ装置が用いられている。
【０１６４】
これにより、スクリーン２５０の中央部ではスペックル雑音が発生しない。また、仮にレーザ光が干渉してスペックル雑音が発生しても、スクリーン２５０の中央部から離れた位置で発生する。したがって、スクリーン２５０に投影された画像を見る人にとって、スペックル雑音が感じにくい。しかも、色純度が高くなるので、スクリーン２５０に投影された画像の鮮やかさを劣化させることもない。
【０１６５】
（変形例）
以上、本開示に係る半導体レーザ素子及び半導体レーザ装置について、実施の形態に基づいて説明したが、本開示は、上記実施の形態に限定されるものではない。
【０１６６】
例えば、上記実施の形態１〜４では、赤色のレーザ光を出射する半導体レーザ素子１を例示したが、上記実施の形態１〜４において、青色のレーザ光を出射するように構成してもよい。この場合、実施の形態５と同様の材料によって半導体レーザ素子を実現することができる。
【０１６７】
また、上記実施の形態５では、青色のレーザ光を出射する半導体レーザ素子５を例示したが、上記実施の形態５において、赤色のレーザ光を出射するように構成してもよい。この場合、実施の形態１と同様の材料によって半導体レーザ素子を実現することができる。
【０１６８】
また、上記実施の形態１〜５において、緑色のレーザ光を出射するように構成してもよい。緑色のレーザ光を出射する半導体レーザ素子とする場合は、例えば、基板２０としてＧａＮ基板を用いて、レーザアレイ部１０をＡｌｘＧａｙＩｎ１−ｘ−ｙＮ（但し、０≦ｘ，ｙ≦１、０≦ｘ＋ｙ≦１である。）で表されるＩＩＩ族窒化物半導体からなる半導体材料によって構成すればよい。具体的には、基板２０としてｎ型ＧａＮ基板を用い、第１クラッド層１１としてｎ−Ａｌ０．２Ｇａ０．８Ｎを用い、第１ガイド層１２としてｕ−ＧａＮを用い、活性層１３としてｕ−Ｉｎ０．１８Ｇａ０．８２Ｎを用い、第２ガイド層１４としてｕ−ＧａＮを用い、第２クラッド層１５としてｐ−Ａｌ０．２Ｇａ０．８Ｎを用い、コンタクト層１６としてｐ−ＧａＮを用いることができる。
【０１６９】
また、上記実施の形態１〜６では、リッジ導波路型構造を有する半導体レーザ素子を用いたが、これに限らない。
【０１７０】
具体的には、図１１に示すように、リッジ部が形成されていない半導体レーザ素子１Ａであってもよい。半導体レーザ素子１Ａでは、分割された第２電極５２ａ及び５２ｂのみでエミッタ３０を形成している。このように構成される半導体レーザ素子１Ａは、エミッタ３０の水平方向の屈折率差が、電流注入による利得によって生じる屈折率虚部の差で与えられるので、利得導波型と称される。利得導波型の半導体レーザ素子は、屈折率導波型の半導体レーザ素子に比べて、構造が簡単で、レーザアレイ部１０を低コストで作製することができる。
【０１７１】
なお、図１１に示される本変形例の半導体レーザ素子１Ａにおいて、各エミッタ３０の中点は、第２電極５２ａの左右の端の中点である。具体的には、図１２に示すように、出射端面において第２電極５２ａの左の端の座標をＰ６（ｘ３，ｙ３）とし、第２電極５２ａの右の端の座標をＰ７（ｘ４，ｙ４）とすると、Ｐ８（（ｘ３＋ｘ３）／２，（ｙ４＋ｙ４）／２）の座標で表される点が、各エミッタ３０の中点となる。
【０１７２】
また、本変形例において、エミッタ３０の幅（エミッタ幅）は、第２電極５２ａの左右の端同士を結ぶ線分の長さとほぼ等価である。具体的には、図１２において、エミッタ３０の幅は、点Ｐ６と点Ｐ７とを結ぶ線分の長さになるので、｛（ｘ３−ｘ４）２＋（ｙ３−ｙ４）２｝１／２で表される。
【０１７３】
また、リッジ部が形成されていない半導体レーザ素子の他の例としては、図１３に示される構造の半導体レーザ素子１Ｂであってもよい。半導体レーザ素子１Ｂでは、第２クラッド層１５を分割した後に、隣り合う第２クラッド層１５の間に埋め込み層１７を形成している。埋め込み層１７は、第２クラッド層１５とは異なる導電型で、かつ、第２クラッド層１５よりも低い屈折率を有する。なお、コンタクト層１６は、第２クラッド層１５及び埋め込み層１７にわたって第２クラッド層１５及び埋め込み層１７の全面に形成される。また、第２電極５２もコンタクト層１６の全面に形成される。第２クラッド層１５（例えばｐ型半導体層）と埋め込み層１７（例えばｎ型半導体層）との導電型が異なることにより、動作状態では、ｐｎ接合に逆バイアスが印加され、埋め込み層１７には電流は流れず、注入電流は、第２クラッド層１５のみに狭窄される。これにより、エミッタ３０で発生した光は、基板水平方向においては、第２クラッド層１５と埋め込み層１７との屈折率差によって閉じ込められる。つまり、本変形例における半導体レーザ素子１Ｂは、上記実施の形態１における半導体レーザ素子１と同様に、屈折率導波型である。このように構成される半導体レーザ素子１Ｂは、コンタクト層１６と第２電極５２との接触面積が大きいため、低コンタクト抵抗（言い換えれば低電圧動作）が可能になる。
【０１７４】
なお、図１３に示される本変形例の半導体レーザ素子１Ｂにおいて、各エミッタ３０の中点は、一つのエミッタ３０に対する埋め込み層１７の左右の最下部の角同士を結ぶ線分の中点となる。具体的には、図１４に示すように、出射端面において埋め込み層１７の左の最下部の角の座標をＰ９（ｘ５，ｙ５）とし、埋め込み層１７の右の最下部の角の座標をＰ１０（ｘ６，ｙ６）とすると、Ｐ１１（（ｘ５＋ｘ６）／２，（ｙ５＋ｙ６）／２）の座標で表される点が各エミッタ３０の中点となる。
【０１７５】
また、本変形例において、エミッタ３０の幅（エミッタ幅）は、埋め込み層１７の左右の最下部の角同士を結ぶ線分の長さとほぼ等価である。具体的には、図１４において、エミッタ３０の幅は、点Ｐ９と点Ｐ１０とを結ぶ線分の長さになるので、｛（ｘ５−ｘ６）２＋（ｙ５−ｙ６）２｝１／２で表される。
【０１７６】
なお、図１３に示される本変形例の半導体レーザ素子１Ｂにおいて、埋め込み層１７としては、上記実施の形態１〜４の赤色のレーザ光を発する半導体レーザ素子に適用する場合は、ｎ−（Ａｌ０．６Ｇａ０．４）０．５Ｉｎ０．５Ｐとすることができる。また、上記実施の形態５の青色のレーザ光を発する半導体レーザ素子に適用する場合、及び、緑色のレーザ光を発する半導体レーザ素子に適用する場合、埋め込み層１７は、ｎ−ＧａＮとすることができる。
【０１７７】
また、リッジ部が形成されていない半導体レーザ素子として、図１１及び図１２に示される半導体レーザ素子１Ａ及び１Ｂを例示したが、リッジ部が形成されていない半導体レーザ素子は、これら以外に、垂直共振器型面発光レーザ（Ｖｅｒｔｉｃａｌ  Ｃａｖｉｔｙ  Ｓｕｒｆａｃｅ  Ｅｍｉｔｔｉｎｇ  Ｌａｓｅｒ；ＶＣＳＥＬ）等であってもよい。
【０１７８】
また、上記実施の形態１〜６において、リッジ部４０の数は５つとしたが、これに限らない。例えば、リッジ部４０の数は、６つ以上あってもよい。つまり、エミッタ３０の数も５つに限らない。例えば、リッジ部４０及びエミッタ３０の数は、２０個であってもよい。これにより、１Ｗを大きく超える高出力（例えば１００Ｗ級）の半導体レーザ素子を実現することができる。
【０１７９】
また、上記実施の形態６では、上記実施の形態１〜５における半導体レーザ素子及び半導体レーザ装置をプロジェクタの光源に用いる場合を例示したが、上記実施の形態１〜５における半導体レーザ素子及び半導体レーザ装置は、プロジェクタの光源に限らず、他の機器の光源に用いてもよい。
【０１８０】
また、上記実施の形態に対して当業者が思い付く各種変形を施して得られる形態や、本開示の趣旨を逸脱しない範囲で各実施の形態における構成要素及び機能を任意に組み合わせることで実現される形態も本開示に含まれる。
【産業上の利用可能性】
【０１８１】
本開示に係る半導体レーザ素子及び半導体レーザ装置は、プロジェクタ等の画像表示装置等の光源として利用することができ、特に、比較的に高い光出力を必要とする機器の光源として有用である。
【符号の説明】
【０１８２】
１、１Ａ、１Ｂ、２、３、４、５  半導体レーザ素子
１０  レーザアレイ部
１０ａ  第１端面
１０ｂ  第２端面
１０Ｌ  レーザ光
１１  第１クラッド層
１２  第１ガイド層
１３  活性層
１４  第２ガイド層
１５  第２クラッド層
１６  コンタクト層
１７  埋め込み層
２０  基板
３０  エミッタ
４０  リッジ部
５１  第１電極
５２、５２ａ  第２電極
６０  絶縁層
１００  半導体レーザ装置
１１０  サブマウント
１２０  水冷ヒートシンク
２００  プロジェクタ
２０１Ｒ、２０１Ｇ、２０１Ｂ  半導体レーザ
２１０Ｒ、２１０Ｇ、２１０Ｂ  レンズ
２２０Ｒ  ミラー
２２０Ｇ、２２０Ｂ  ダイクロイックミラー
２３０  空間変調素子
２４０  投射レンズ
２５０  スクリーン
【図１】
2019021802.tif 000005
【図２】
2019021802.tif 000006
【図３】
2019021802.tif 000007
【図４】
2019021802.tif 000008
【図５】
2019021802.tif 000009
【図６】
2019021802.tif 000010
【図７】
2019021802.tif 000011
【図８】
2019021802.tif 000012
【図９】
2019021802.tif 000013
【図１０】
2019021802.tif 000014
【図１１】
2019021802.tif 000015
【図１２】
2019021802.tif 000016
【図１３】
2019021802.tif 000017
【図１４】
2019021802.tif 000018
【国際調査報告】
2019021802.tif 000019
2019021802.tif 000020
2019021802.tif 000021
2019021802.tif 000022